(57)【要約】【課題】  複数の原稿用紙が収容可能な収容部から原稿読取部に搬送中の原稿用紙が重送であるか否かと原稿用紙の紙厚とを検知することができる画像読取装置を提供することを目的とする。【解決手段】  複数の原稿用紙が収容可能な収容部と、収容部から搬送された原稿用紙を光学的に読み取って原稿データを生成する原稿読取部と、収容部から原稿読取部に搬送中の原稿用紙に向けて超音波を送信する送信部及び当該搬送中の原稿用紙を通過した超音波を受信する受信部からなる超音波センサーと、受信部からの受信信号に基づいて、原稿用紙の紙厚を検知する紙厚検知手段と、受信部からの受信信号に基づいて、搬送中の原稿用紙が重送であるか否かを判別する重送検知手段により構成される。【選択図】  図３
2009161291.tif 000002
【特許請求の範囲】
【請求項１】
２以上の原稿用紙が収容可能な収容部と、
上記収容部から搬送された原稿用紙を光学的に読み取って原稿データを生成する原稿読取部と、
上記収容部から上記原稿読取部に搬送中の原稿用紙に向けて超音波を送信する送信部及び当該搬送中の原稿用紙を通過した超音波を受信する受信部からなる超音波センサーと、
上記受信部からの受信信号に基づいて、上記原稿用紙の紙厚を検知する紙厚検知手段と、
上記受信部からの受信信号に基づいて、上記搬送中の原稿用紙が重送であるか否かを判別する重送検知手段とを備えたことを特徴とする画像読取装置。
【請求項２】
上記紙厚検知手段によって検知された紙厚に基づいて画像処理を行い、上記原稿データから出力用の画像データを生成する画像処理手段を備えたことを特徴とする請求項１に記載の画像読取装置。
【請求項３】
上記画像処理手段は、上記超音波の受信レベルが第１閾値以上である場合に、裏写り抑制のための画像処理を行い、
上記重送検知手段は、上記受信レベルが上記第１閾値よりも小さな第２閾値以下である場合に、重送であると判断することを特徴とする請求項２に記載の画像読取装置。
【請求項４】
上記原稿読取部は、上記原稿用紙の異なる面をそれぞれ読み取る第１読取部及び第２読取部からなり、上記第１読取部及び上記第２読取部が搬送中の原稿用紙を挟むように配置され、
上記第１閾値が、上記第１読取部及び上記第２読取部を用いて原稿用紙の両方の面を読み取らせる場合と、原稿用紙の一方の面だけを読み取らせる場合とで異なることを特徴とする請求項３に記載の画像読取装置。
【請求項５】
上記重送検知手段による判別結果に基づいて、上記原稿用紙の搬送を停止させる搬送停止手段を備えたことを特徴とする請求項１又は２に記載の画像読取装置。
【発明の詳細な説明】
【技術分野】
【０００１】
本発明は、画像読取装置に係り、さらに詳しくは、収容部から搬送された原稿用紙を光学的に読み取って原稿データを生成する画像読取装置の改良に関する。
【背景技術】
【０００２】
近年、両面印刷された原稿用紙を光学的に読み取る際に、裏面の印刷情報も読み取ってしまう現象、いわゆる裏写り現象を抑制する技術が提案されている（例えば、特許文献１）。この特許文献１に記載の複写装置では、裏写り抑制のために、原稿用紙を押さえるための圧板として低反射率の黒板を設け、さらに、原稿用紙から読み取ったデータを画像処理する際に原稿用紙の紙厚に応じて補正する動作が行われる。最近では、搬送中の原稿用紙に向けて超音波を送信する超音波センサーを用いて、搬送中の原稿用紙が重送であるか否かを検知する技術も提案されている（例えば、特許文献２）。この特許文献２に記載の画像形成装置では、原稿用紙を通過した超音波の受信レベルから搬送中の原稿用紙が１枚であるか、複数枚、すなわち、重送であるかが検知される。
【特許文献１】特開２００４−１２０２００号公報
【特許文献２】特開２００７−１６９０４４号公報
【発明の開示】
【発明が解決しようとする課題】
【０００３】
上述した様な従来の装置では、原稿用紙の紙厚を検知するためのセンサーと、重送を検知するためのセンサーとがそれぞれ独立した別個のセンサーとして構成される。従って、原稿用紙の紙厚と搬送中の原稿用紙が重送であるか否かとを検知するには、紙厚検知のためのセンサーと重送検知のためのセンサーとを設けなければならなかった。このため、装置の構成が複雑化し、製造コストが増大してしまうという問題があった。
【０００４】
本発明は、上記の事情に鑑みてなされたものであり、複数の原稿用紙が収容可能な収容部から原稿読取部に搬送中の原稿用紙が重送であるか否かと原稿用紙の紙厚とを検知することができる画像読取装置を提供することを目的とする。特に、製造コストを増大させることなく、紙厚及び重送を検知することができる画像読取装置を提供することを目的とする。
【課題を解決するための手段】
【０００５】
第１の本発明による画像読取装置は、２以上の原稿用紙が収容可能な収容部と、上記収容部から搬送された原稿用紙を光学的に読み取って原稿データを生成する原稿読取部と、上記収容部から上記原稿読取部に搬送中の原稿用紙に向けて超音波を送信する送信部及び当該搬送中の原稿用紙を通過した超音波を受信する受信部からなる超音波センサーと、上記受信部からの受信信号に基づいて、上記原稿用紙の紙厚を検知する紙厚検知手段と、上記受信部からの受信信号に基づいて、上記搬送中の原稿用紙が重送であるか否かを判別する重送検知手段とを備えて構成される。
【０００６】
この画像読取装置では、収容部から原稿読取部に搬送中の原稿用紙に向けて超音波を送信する超音波センサーからの受信信号に基づいて、原稿用紙の紙厚と、搬送中の原稿用紙が重送であるか否かとが検知される。この様な構成によれば、紙厚の検知と重送検知とに共通の超音波センサーからの受信信号が用いられるので、それぞれに独立した別個のセンサーを用いる場合に比べて、装置の構成を簡素化することができる。従って、製造コストを増大させることなく、複数の原稿用紙が収容可能な収容部から原稿読取部に搬送中の原稿用紙が重送であるか否かと原稿用紙の紙厚とを検知することができる。
【０００７】
第２の本発明による画像読取装置は、上記構成に加え、上記紙厚検知手段によって検知された紙厚に基づいて画像処理を行い、上記原稿データから出力用の画像データを生成する画像処理手段を備えて構成される。
【０００８】
第３の本発明による画像読取装置は、上記構成に加え、上記画像処理手段が、上記超音波の受信レベルが第１閾値以上である場合に、裏写り抑制のための画像処理を行い、上記重送検知手段が、上記受信レベルが上記第１閾値よりも小さな第２閾値以下である場合に、重送であると判断するように構成される。
【０００９】
第４の本発明による画像読取装置は、上記構成に加え、上記原稿読取部が、上記原稿用紙の異なる面をそれぞれ読み取る第１読取部及び第２読取部からなり、上記第１読取部及び上記第２読取部が搬送中の原稿用紙を挟むように配置され、上記第１閾値が、上記第１読取部及び上記第２読取部を用いて原稿用紙の両方の面を読み取らせる場合と、原稿用紙の一方の面だけを読み取らせる場合とで異なるように構成される。
【００１０】
第５の本発明による画像読取装置は、上記構成に加え、上記重送検知手段による判別結果に基づいて、上記原稿用紙の搬送を停止させる搬送停止手段を備えて構成される。
【発明の効果】
【００１１】
本発明による画像読取装置によれば、紙厚の検知及び重送検知に共通の超音波センサーからの受信信号が用いられるので、装置の構成を簡素化することができる。従って、製造コストを増大させることなく、複数の原稿用紙が収容可能な収容部から原稿読取部に搬送中の原稿用紙が重送であるか否かと原稿用紙の紙厚とを検知することができる。
【発明を実施するための最良の形態】
【００１２】
図１は、本発明の実施の形態による画像読取装置１の概略構成の一例を示した図である。この画像読取装置１は、両面印刷された原稿用紙１０１を光学的に読み取って画像データを出力するスキャナであり、第１読取部１１、第２読取部１２、収容部１３、原稿分離部１４、超音波センサー１５、搬送ローラー１６、光源装置１７及び１８からなる。
【００１３】
収容部１３は、複数の原稿用紙１０１が収容可能なトレー又はカセットであり、原稿用紙１０１を収容した状態で昇降させることができる。原稿分離部１４は、収容部１３に収容された原稿用紙１０１のうち、最上段の原稿用紙１０１を取り出して搬送経路１０２内に送出する給紙装置である。搬送ローラー１６は、原稿用紙１０１の搬送装置であり、原稿用紙１０１を挟み込むローラー対として、搬送経路１０２に沿って複数個配置されている。収容部１３、原稿分離部１４及び搬送ローラー１６によって、ＡＤＦ（Auto Document Feeder：自動原稿送り装置）を構成している。
【００１４】
第１読取部１１及び第２読取部１２は、いずれも収容部１３から搬送された原稿用紙１０１を光学的に読み取って原稿データを生成する原稿読取装置であり、それぞれミラー２１〜２３、レンズ２４、ＣＣＤ２５及びＡＤＣ２６からなる。第１読取部１１及び第２読取部１２は、搬送中の原稿用紙１０１を挟むように配置され、互いに原稿用紙１０１の異なる面を読み取る動作を行っている。
【００１５】
ミラー２１〜２３は、光源装置１７，１８から出射され、原稿用紙１０１で反射されて読取部内に入射した光を反射して、レンズ２４に入射させるための光学系である。ＣＣＤ（Charge Coupled Devices：電荷結合素子）２５は、レンズ２４からの光を受光して、受光量に応じた検出信号を生成する撮像素子である。ＡＤＣ（Analog Digital Converter：Ａ／Ｄコンバータ）２６は、ＣＣＤ２５からのアナログ信号をデジタル信号に変換する変換手段であり、画素ごとの輝度データがデジタル信号として出力される。
【００１６】
この例では、第１読取部１１及び光源装置１７が搬送経路１０２よりも上側に配置され、光源装置１７から出射されて、原稿用紙１０１の上側の面で反射された光が第１読取部１１に入射している。また、第２読取部１２及び光源装置１８が搬送経路１０２よりも下側に配置され、光源装置１８から出射されて、原稿用紙１０１の下側の面で反射された光が第２読取部１２に入射している。第２読取部１２は、第１読取部１１よりも搬送経路１０２の下流側に配置されている。
【００１７】
超音波センサー１５は、収容部１３から第１読取部１１に搬送中の原稿用紙１０１に向けて超音波を送信する送信部１５１と、当該搬送中の原稿用紙１０１を通過した超音波を受信する受信部１５２とからなる原稿用紙１０１の検出装置である。送信部１５１及び受信部１５２は、搬送経路１０２を挟むように配置されている。受信部１５２は、送信部１５１よりも搬送経路１０２の下流側に配置されている。
【００１８】
送信部１５１は、電気パルス信号を超音波振動に変換して送出する発信器であり、受信部１５２は、送信部１５１からの超音波を受信して超音波振動を電気信号に変換し、受信信号として出力する受信器である。送信部１５１及び受信部１５２は、反射波が送信部１５１に干渉しないようにするために、送信部１５１から送出された超音波が搬送中の原稿用紙１０１に対して斜め方向から入射するように配置されている。
【００１９】
送信部１５１では、原稿用紙１０１の搬送に合わせて、所定の時間間隔で超音波が送出される。例えば、周波数が２００ｋＨｚの超音波が送信される。
【００２０】
図２は、図１の画像読取装置１の構成例を示した回路図であり、超音波センサー１５からの受信信号に基づいて超音波の受信レベルを検出する受信レベル検出部３０の構成が示されている。この受信レベル検出部３０は、増幅器３１、コンデンサー３２，３５、ＡＤＣ３３、スイッチ３４、ツェナーダイオード３６及び３７により構成される。
【００２１】
超音波センサー１５からの受信信号は、増幅器３１によって電力増幅され、コンデンサー３５に入力される。コンデンサー３５は、受信信号における直流成分を除去するための容量素子となっている。直流成分除去後の受信信号は、ツェナーダイオード３６，３７を介してコンデンサー３２に入力される。ツェナーダイオード３６，３７は、過電圧が後段の回路、すなわち、ＡＤＣ３３に対して印加されるのを防止するための半導体素子となっている。
【００２２】
コンデンサー３２によって受信信号は、スイッチ３４が開放されている間、コンデンサー３２からなる積分回路において平滑化される。そして、スイッチ３４を閉じることによってコンデンサー３２を短絡した後、指定のタイミングにてスイッチ３４を開放することにより、平滑化された受信信号がコンデンサー３２によってホールドされる。ＡＤＣ３３は、このホールドされた受信レベルを所定の時間間隔でサンプリングしてデジタル化し、検知データを生成する変換回路である。
【００２３】
図３は、図１の画像読取装置１の構成例を示したブロック図であり、画像読取装置１内の機能構成の一例が示されている。この画像読取装置１は、ＣＣＤ駆動部２、画像処理部３、バッファメモリ４、出力部５、紙厚検知部６、重送検知部７、搬送制御部８、搬送用モーター９、第１読取部１１、第２読取部１２、超音波センサー１５及び受信レベル検出部３０により構成される。
【００２４】
ＣＣＤ駆動部２は、第１読取部１１及び第２読取部１２内のＣＣＤ２５の駆動制御を行っている。画像処理部３は、第１読取部１１及び第２読取部１２からの原稿データについて画像処理を行い、出力用の画像データを生成する動作を行っている。この画像処理部３は、読取部ごとに設けられたシェーディング補正部４１及びγ補正部４２と、裏写り制御部４３とからなる。
【００２５】
シェーディング補正部４１は、第１読取部１１又は第２読取部１２内における光学系の歪みを補正する画像処理部であり、入力値を出力値に変換するための所定のシェーディング補正データが変換テーブルとして保持されている。シェーディング補正部４１では、このシェーディング補正データに基づいてＡＤＣ２６からの原稿データが処理される。γ（ガンマ）補正部４２は、シェーディング補正後の画像データをガンマ補正用の変換テーブルに基づいて変換し、出力用の画像データとして出力する動作を行っている。
【００２６】
バッファメモリ４は、γ補正部４２からの出力用画像データを保持するための記憶装置である。出力部５は、バッファメモリ４から出力用画像データを読み出し、動作モードに応じた出力処理を行っている。例えば、ファクシミリ機能などを利用して出力用データを他の端末装置に転送する動作が出力処理として行われる。
【００２７】
紙厚検知部６は、超音波センサー１５の受信部１５２からの受信信号に基づいて、原稿用紙１０１の紙厚を検知する検知手段である。この紙厚検知部６では、受信レベル検出部３０からの検知データに基づいて、搬送中の原稿用紙１０１の紙厚が検知される。
【００２８】
裏写り制御部４３は、紙厚検知部６によって検知された紙厚に基づいて、裏写り抑制のための画像処理を行うか、通常の画像処理を行うかを決定する動作を行っている。具体的には、超音波の受信レベルが所定の閾値（第１閾値）以上である場合に、裏写り抑制のための画像処理が行われる。受信レベルが第１閾値未満である場合には、裏写り抑制のための画像処理は行わず、通常の画像処理が行われる。
【００２９】
裏写り抑制のための画像処理とは、紙厚が薄いために読み取られてしまった裏面の印刷情報を画像処理によって除去するための処理のことであり、シェーディング補正及びγ補正用の変換テーブルを変更することによって実現している。具体的には、原稿用紙１０１が白地に黒で印刷されている場合、白のシェーディング補正データを通常の画像処理に比べて黒側にシフトさせる処理が行われる。また、γ補正に関し、ハイライト側の入力値に対して、出力値を通常の画像処理に比べて白側へシフトさせる処理が行われる。つまり、原稿用紙１０１から読み取った画像データについて、黒側の輝度レベルを下げることによって黒で印刷されている情報を強調し、或いは、白側の輝度レベルを上げることによって裏面の印刷情報を白化し、これによって裏面の印刷情報が除去される。
【００３０】
ここで、第１読取部１１及び第２読取部１２を用いて原稿用紙１０１の両方の面を読み取らせる場合、一方の読取部が原稿用紙１０１を読み取る際に、他方の読取部側に配置された光源装置からの光によって裏写りの程度が変化することが考えられる。そこで、上記第１閾値は、第１読取部１１及び第２読取部１２を用いて原稿用紙１０１の両方の面を読み取らせる場合と、一方の面だけを読み取らせる場合とで異ならせるものとする。例えば、両面読み取り時には、片面読み取り時に比べて裏写りし易くなると考えられるので、片面読み取り時よりも第１閾値を大きくする。
【００３１】
重送検知部７は、超音波センサー１５の受信部１５２からの受信信号に基づいて、搬送中の原稿用紙１０１が重送であるか否かを判別する検知手段である。この重送検知部７では、受信レベル検出部３０からの検知データに基づいて、搬送中の原稿用紙１０１が１枚であるのか、複数枚、すなわち、重送であるのかが判別される。
【００３２】
具体的には、超音波の受信レベルを上記第１閾値よりも小さな第２閾値と比較し、この比較結果に基づいて重送であるか否かが判別される。すなわち、受信レベルが第２閾値以下である場合に、重送であると判断される。受信レベルが第２閾値を越える場合には、重送でないと判断される。
【００３３】
搬送制御部８は、搬送用モーター９を制御するとともに、重送検知部７による判別結果に基づいて、原稿用紙１０１の搬送を停止させる搬送停止手段となっている。具体的には、搬送中の原稿用紙１０１が重送であると判断された場合に、当該原稿用紙１０１について搬送を停止させる動作が行われる。
【００３４】
図４は、図１の画像読取装置１における動作の一例を示した図であり、受信レベル検出部３０によって検知される超音波の受信レベルを表す曲線１１０〜１１３が示されている。この図には、縦軸を受信レベルとし、横軸を時刻ｔとして受信レベルの変化が示されている。
【００３５】
曲線１１０は、原稿用紙１０１が存在しない場合（この場合を「紙無」と呼ぶことにする）の受信レベルを表す曲線である。曲線１１１〜１１３は、原稿用紙１０１が存在する場合の受信レベルを表す曲線であり、曲線１１１と１１２とでは、紙厚が互いに異なっている。曲線１１１は、紙厚が薄い場合であり、曲線１１２は、紙厚が厚い場合となっている。曲線１１３は、重送である場合の受信レベルを表す曲線となっている。
【００３６】
これらの曲線１１０〜１１３は、受信レベル検出部３０のスイッチ３４を閉じた際に、最小（最小値＝リセットレベルａ０）となっている。その後、スイッチ３４が開放されたタイミングにて、受信信号はホールドされている。そして、次にスイッチ３４が閉じられるまで、曲線１１０及び１１１については、コンデンサーの放電によって緩やかに減少し、曲線１１２及び１１３については、ほぼ横ばい状態で推移している。
【００３７】
受信レベル検出部３０では、この様な曲線１１０〜１１３で表される受信レベルを所定の時間間隔でサンプリングし、検知データとして出力される。この例では、受信レベルが時刻ｔ１でサンプリングされており、原稿用紙１０１の状態に応じて異なる受信レベルａ１〜ａ４が検知されている。
【００３８】
ａ４は、紙無時の受信レベルであり、ａ３は、紙厚が薄い場合の受信レベルとなっている（ａ３<ａ４）。ａ２は、紙厚が厚い場合の受信レベルであり、ａ１は、重送時の受信レベルとなっている（ａ０<ａ１<ａ２<ａ３）。
【００３９】
図５は、図１の画像読取装置１における動作の一例を示した図であり、受信レベルと紙厚との対応関係を表す特性曲線１２１及び重送時の特性曲線１２２が示されている。この図には、縦軸を受信レベルとし、横軸を紙厚として受信レベルと紙厚との関係が示されている。
【００４０】
特性曲線１２１は、原稿用紙１０１が１枚である場合に、受信レベルを紙厚に変換するための変換テーブルを示す曲線であり、単調に減少している。具体的には、紙厚の下限ｃｒにおいて、受信レベルがｂｒであり、上限ｃｐにおいて、受信レベルがｂｐとなって飽和している（ｂｐ<ｂｒ）。
【００４１】
受信レベルがｂｒを越える範囲は、紙無状態となっている。また、紙厚がｃｒ以上ｃｑ以下である範囲では、受信レベルがｂｑ以上ｂｒ以下となっており、裏写り抑制のための画像処理が行われる範囲となっている。つまり、この紙厚ｃｑに対応する受信レベルｂｑが、裏写り抑制のための画像処理を行うか、通常の画像処理を行うかを判断する際に用いられる閾値（第１閾値）となっている。
【００４２】
特性曲線１２２は、原稿用紙１０１が複数枚である場合における受信レベル及び紙厚の対応関係を表す曲線であり、単調に減少している。具体的には、紙厚の上限ｃｐにおいて、受信レベルがｂｐよりも小さな値であり、紙厚が増加するほど受信レベルが小さくなっている。つまり、受信レベルｂｐは、重送であるか否かを判断する際に用いられる閾値（第２閾値）であり、受信レベルｂｑよりも小さな値となっている。
【００４３】
重送検知部７では、超音波の受信レベルがｂｐ以下である場合に、重送であると判断される。一般に、紙厚が薄い原稿用紙が２枚である場合と、その様な紙に比べて２倍の紙厚の原稿用紙が１枚である場合とでは、原稿用紙が２枚である場合の方が、用紙間の空気層の影響によって、受信レベルは小さい。重送検知は、超音波の受信レベルにおけるこの様な特徴を利用することによって行われる。
【００４４】
図６のステップＳ１０１〜Ｓ１１２は、図１の画像読取装置１における原稿読み取り時の動作の一例を示したフローチャートである。まず、受信レベル検出部３０は、原稿用紙１０１が収容部１３から給紙されると、超音波センサー１５からの受信信号に基づいて受信レベルを検出する（ステップＳ１０１，Ｓ１０２）。次に、紙厚検知部６は、変換テーブルを参照して受信レベルから紙厚を検知する（ステップＳ１０３，Ｓ１０４）。
【００４５】
このとき、裏写り制御部４３は、検知された紙厚を参照し、紙厚がｃｑ以下、すなわち受信レベルが第１閾値ｂｑ以上であれば、裏写り抑制のための画像処理をシェーディング補正部４１及びγ補正部４２に対して指示する（ステップＳ１０５，Ｓ１０６）。次に、重送検知部７は、検出された受信レベルを参照し（ステップＳ１０７）、受信レベルが第２閾値ｂｐ以下であれば、重送であると判断して、重送を報知するためのエラー信号を出力する（ステップＳ１１１）。搬送制御部８は、このエラー出力に基づいて、原稿用紙１０１の搬送を停止させる（ステップＳ１１２）。また、超音波センサー１５では、エラー出力に基づいて超音波の送出を停止する。
【００４６】
一方、受信レベルがｂｐを越えている場合には、搬送された原稿用紙１０１の読み取りが行われ、画像データが生成される（ステップＳ１０８）。ステップＳ１０７及びＳ１０８の処理手順は、原稿用紙１０１の後端が検知されるまで繰り返され（ステップＳ１０９）、後端が検知されると、ステップＳ１１０に遷移する。ステップＳ１１０では、オペレータによって指定された一連の読取ジョブが終了したか否かが判別され、終了していれば、この処理を終了する。一方、終了していなければ、読取ジョブが終了するまで、ステップＳ１０１からＳ１０９までの処理手順を繰り返す。
【００４７】
本実施の形態によれば、紙厚の検知と重送検知とに共通の超音波センサー１５からの受信信号が用いられるので、それぞれに独立した別個のセンサーを用いる場合に比べて、装置の構成を簡素化することができる。従って、製造コストを増大させることなく、搬送中の原稿用紙１０１が重送であるか否かと原稿用紙１０１の紙厚とを検知することができる。
【００４８】
なお、本実施の形態では、搬送中の原稿用紙１０１の紙厚を検知して裏写り抑制のための画像処理が行われる場合の例について説明したが、本発明はこれに限られるものではない。例えば、検知した紙厚に基づいて、原稿用紙１０１の読取速度、光源装置１７，１８の明るさ、原稿読み取り時の利得を調整するようなものであっても良い。
【図面の簡単な説明】
【００４９】
【図１】本発明の実施の形態による画像読取装置１の概略構成の一例を示した図である。
【図２】図１の画像読取装置１の構成例を示した回路図であり、超音波の受信レベルを検出する受信レベル検出部３０の構成が示されている。
【図３】図１の画像読取装置１の構成例を示したブロック図であり、画像読取装置１内の機能構成の一例が示されている。
【図４】図１の画像読取装置１における動作の一例を示した図であり、超音波の受信レベルを表す曲線１１０〜１１３が示されている。
【図５】図１の画像読取装置１における動作の一例を示した図であり、受信レベルと紙厚との対応関係を表す特性曲線１２１及び重送時の特性曲線１２２が示されている。
【図６】図１の画像読取装置１における原稿読み取り時の動作の一例を示したフローチャートである。
【符号の説明】
【００５０】
１  画像読取装置
２  ＣＣＤ駆動部
３  画像処理部
４  バッファメモリ
５  出力部
６  紙厚検知部
７  重送検知部
８  搬送制御部
９  搬送用モーター
１１  第１読取部
１２  第２読取部
１３  収容部
１４  原稿分離部
１５  超音波センサー
１６  搬送ローラー
１７，１８  光源装置
２１〜２３  ミラー
２４  レンズ
２５  ＣＣＤ
２６  ＡＤＣ
３０  受信レベル検出部
１０１  原稿用紙
１０２  搬送経路
１５１  送信部
１５２  受信部
【図１】
2009161291.tif 000003
【図２】
2009161291.tif 000004
【図３】
2009161291.tif 000005
【図４】
2009161291.tif 000006
【図５】
2009161291.tif 000007
【図６】
2009161291.tif 000008